(57)【特許請求の範囲】
【請求項１】
編機でニットを編む方法であって、
（Ａ）巻き目を地糸で一段作り、その地糸の上段に配色糸で二段編み、
（Ｂ）その配色糸の上段に地糸で十段編み、その際裾側を二段上がるごとに一目減らす引返し編みを四回行い、次いでその減らし目の上段に地糸で段消し編みを一段行い、
（Ｃ）移し針を用いて上記配色糸を少なくとも一目引き上げて第一の輪を突出させ、
（Ｄ）上記（Ｂ）の段消し編みの上段と地糸の上段に配色糸を二段編み、その際段消し編みの上段に編む配色糸の二段の内一段を移し針を用いてゆるめに一段編み、且つ上記地糸の上段に配色糸を二段編むときに上記第一の輪と配色糸とを絡ませて第一のタックを形成し、
（Ｅ）上記段消し編みの上段に配色糸でゆるめに編まれた十目を裾側から地糸で伏せ止めし、
（Ｆ）上記伏せ止めの終端を起点として、裾側とは反対側に配置されている編機の２０目分の針を残して、他の針を全目出して休ませ、
（Ｇ）上記伏せ止めの終端から二十目を地糸で二十段編んで襠を作り、その襠の両端二目の下段に位置する上記（Ｄ）の配色糸を移し針で引き上げて第二の輪と第三の輪とを突出させ、
（Ｈ）上記襠の裾側角部から裾側へ向けて巻き目を地糸で十目作り、その巻き目と上記襠の上段に配色糸で三十目二段編み、その際上記第二及び第三の輪と配色糸とをそれぞれ絡ませて第二タックと第三タックとを形成し、
（Ｉ）休めておいた針を元に戻し、上記（Ｈ）の配色糸の上段に地糸で１０段編みし、その際裾側を２段上がるごとに一目増やす引き返し編みを４回行い、
（Ｊ）さらに上記（Ｉ）の上段に地糸で１０段編み、その際裾側を２段ごとに１目減らす引き返し編みを行い、その減らし目の上段に段消し編みを一段行い、
（Ｋ）移し針を用いて上記襠の上段に編まれた配色糸を少なくとも１目引き上げて第四の輪を突出させ、
（Ｌ）上記（Ｊ）の段消し編みの上段と地糸の上段に配色糸を二段編み、その際段消し編みの上段に編む配色糸の二段の内一段を移し針を用いてゆるめに一段編み、且つ上記地糸の上段に配色糸を二段編むときに上記第四の輪と配色糸とを絡ませて第四のタックを形成し、
（Ｍ）上記（Ｊ）の段消し編みの上段の配色糸でゆるめに編まれた１０目を裾側から地糸で伏せ止めする手順から成る、ニット製品におけるスカラップの編み方。
【請求項２】
請求項１に記載の手順（Ａ）〜（Ｍ）を行った後、さらに前記（Ｆ）〜（Ｍ）を繰り返すようにした、ニット製品におけるスカラップの編み方。
【請求項３】
段数及び目数を変えるようにした、請求項１又は２に記載のニット製品におけるスカラップの編み方。
【請求項４】
前記第一のタックと前記第四のタックとが、前記第二のタックと前記第三のタックとの中間の目上に配置されて編まれることを特徴とする、  請求項１〜３のいずれかに記載のニット製品におけるスカラップの編み方。
【請求項５】
前記配色糸が前記地糸と同色であることを特徴とする、請求項１〜４のいずれかに記載のニット製品におけるスカラップの編み方。
【発明の詳細な説明】
【０００１】
【発明の属する技術分野】
この発明は、ニットの機械編みに関し、特に汎用の編み機でスカラップを有するニットを編む方法に関する。
【０００２】
【従来の技術】
一般に、スカラップは布製の生地を用いて主としてカーテンの裾に形成されるもので、美観、装飾性に優れ、人気の高いものである。ところが、従来、このようなスカラップは布製の生地を縫製によって形成することはできても、ニットセータ等のニット製品、例えばセータ、カーデガン、ベスト、ワンピース類の衿、袖口、裾などを編みながらスカラップを形成することはできなかった。なお、スカラップとは、端にそって半円状の波形が連続する装飾を意味する。
【０００３】
【発明が解決しようとする課題】
そこで、本発明は、上記の点に鑑み、ニット製品の美観、装飾性を向上させてニット製品に付加価値を付与する、ニット製品におけるスカラップの編み方を提供することを目的とする。
【０００４】
【課題を解決するための手段】
上記目的を達成するために、請求項１に記載の発明は、編機でニットを編む方法であって、
（Ａ）巻き目を地糸で一段作り、その地糸の上段に配色糸で二段編み、
（Ｂ）その配色糸の上段に地糸で十段編み、その際裾側を二段上がるごとに一目減らす引返し編みを四回行い、次いでその減らし目の上段に地糸で段消し編みを一段行い、
（Ｃ）移し針を用いて上記配色糸を少なくとも一目引き上げて第一の輪を突出させ、
（Ｄ）上記（Ｂ）の段消し編みの上段と地糸の上段に配色糸を二段編み、その際段消し編みの上段に編む配色糸の二段の内一段を移し針を用いてゆるめに一段編み、且つ上記地糸の上段に配色糸を二段編むときに上記第一の輪と配色糸とを絡ませて第一のタックを形成し、
（Ｅ）上記段消し編みの上段に配色糸でゆるめに編まれた十目を裾側から地糸で伏せ止めし、
（Ｆ）上記伏せ止めの終端を起点として、裾側とは反対側に配置されている編機の２０目分の針を残して、他の針を全目出して休ませ、
（Ｇ）上記伏せ止めの終端から二十目を地糸で二十段編んで襠を作り、その襠の両端二目の下段に位置する上記（Ｄ）の配色糸を移し針で引き上げて第二の輪と第三の輪とを突出させ、
（Ｈ）上記襠の裾側角部から裾側へ向けて巻き目を地糸で十目作り、その巻き目と上記襠の上段に配色糸で三十目二段編み、その際上記第二及び第三の輪と配色糸とをそれぞれ絡ませて第二タックと第三タックとを形成し、
（Ｉ）休めておいた針を元に戻し、上記（Ｈ）の配色糸の上段に地糸で１０段編みし、その際裾側を２段上がるごとに一目増やす引き返し編みを４回行い、
（Ｊ）さらに上記（Ｉ）の上段に地糸で１０段編み、その際裾側を２段ごとに１目減らす引き返し編みを行い、その減らし目の上段に段消し編みを一段行い、
（Ｋ）移し針を用いて上記襠の上段に編まれた配色糸を少なくとも１目引き上げて第四の輪を突出させ、
（Ｌ）上記（Ｊ）の段消し編みの上段と地糸の上段に配色糸を二段編み、その際段消し編みの上段に編む配色糸の二段の内一段を移し針を用いてゆるめに一段編み、且つ上記地糸の上段に配色糸を二段編むときに上記第四の輪と配色糸とを絡ませて第四のタックを形成し、
（Ｍ）上記（Ｊ）の段消し編みの上段の配色糸でゆるめに編まれた１０目を裾側から地糸で伏せ止めする手順から成る、ニット製品におけるスカラップの編み方である。
なお、裾とは、衣服の下の縁のとしての裾の意味の他、袖口、衿を含む意味で広汎な概念で使用している。
また、襠（まち）とは、別に補い添える布のように、編み途中で別途部分的に補うために編まれた箇所を意味する。
【０００５】
上記構成によれば、段を増していくにつれてニット製品の裾端部が半円状に形成されることで、それがスカラップを呈するようになる。
さらに、段を増して行く途中でタックと襠とが編まれることで、裾側に形成されたスカラップの形状に立体感を持たせることができる。
さらに、タックが形成されていることで、襠の輪郭を境に襠が外方或いは内方へ湾曲形成されることでも、裾側に立体感ある装飾をニット製品に持たせることができる。
上記構成によれば、ニット製品の衿、袖口、裾に形成したスカラップは美観、装飾性に優れ、ニット製品に大きな付加価値をつけるものである。
【０００６】
請求項２に記載の発明は、請求項１に記載の手順（Ａ）〜（Ｌ）を行った後、前記（Ｆ）〜（Ｌ）を繰り返すようにした、ニット製品におけるスカラップの編み方である。この構成によれば、スカラップ数を増やすことができる。
【０００７】
請求項３に記載の発明は、段数及び目数を変えて編まれることを特徴とするものである。この構成によれば、種々の大きさのスカラップを形成することができる。
【０００８】
請求項４に係る発明は、上記第一のタックと上記第四のタックとが、上記第二のタックと上記第三のタックとの中間の目上に配置されて編まれることを特徴とするものである。この構成によれば、例えば菱形状のスカラップを形成することができ、装飾手効果が高まる。さらに、上記配色糸が上記地糸と同色であってもよい。
【０００９】
【発明の実施の形態】
以下、図面を参照して本発明の実施形態を説明する。
図１は種々の編み目を示す図、図２乃至図４及び図６乃至図８は本発明によるニット製品におけるスカラップの編み方を示す図である。図５は編み機の一部を示す図である。また、図９は全体の編み図を示す図、図１０は上記編み方により作製された実際のスカラップを示す図である。
図１において、１は巻目、２は配色糸を用いた裏目、３は地糸を用いた裏目、４は引返し、５は段消し、６ａ〜６ｈは移し針を用いて環状に突出形成された目、７，９〜１１はタック、８は伏目（伏せ止め）、である。
【００１０】
なお、図中の縦横のクロス線は、一般の編み図に示されているように、編み目の配置位置を解りやすくするために便宜上描かれている線であり、また図中の矢印２５は、編みが矢印方向にも続く意味での省略記号である。
また、本発明の実施形態に係るニット製品におけるスカラップの編み方は、汎用の編み機でキカイ編みするものであり、編み機の構成については、従来から知られているものを使用できるので、機械の構成に関する説明は省略する。
【００１１】
以下、本発明の一実施形態に係るニット製品におけるスカラップの編み方を下記の（Ａ′）〜（Ｍ′）の手順を基に説明する。
図２に示すように、（Ａ′）編み初めの巻き目１を地糸で一段作り、その地糸の上段に配色糸２で二段裏編みを行う。次に、（Ｂ′）その配色糸２の上段に地糸３で十段裏編みを行う。その十段編みを行う際に、二段上がるごとに裾側を一目減らす引返し編み４を四回行う。そして、その減らし目箇所の上段に地糸で段消し編み５を一段行う。
次に、（Ｃ′）巻き目１の直上の配色糸２の二目６ａ，６ｂを移し針を用いて引き上げることで第一の輪を突出形成する。なお、移し針で引き上げる配色糸は二目に限らず一目或いは三目以上であってもよい。
【００１２】
次に、図３に示すように、（Ｄ′）上記（Ｂ′）の段消し編み箇所と上記地糸との上段に配色糸２を二段裏編みし、その際上記第一の輪と配色糸とを絡ませて第一のタック７，７を形成する。上記段消し編み箇所の上段に編む配色糸はその内一段が移し針を使ってゆるめに一段編まれる。
ここで、図２及び図３に示すように、目６ａ，６ｂの配色糸がそれらの位置する段から上に１１段離れた箇所にある配色糸と一緒に編まれることで、第一のタック７，７はニットの編地をつまんで縫ったようなひだとして形成される。
そして、（Ｅ′）上記段消し編みの上段に配色糸でゆるめに編まれた十目を裾側から地糸で伏せ止め８する。
この時点で地糸と配色糸が揃うようにする。なお、図３中の符号２１が示す箇所が、地糸と配色糸とが同位置にある部分であり、ここが次の編み始め箇所となる。
【００１３】
次に、図４に示すように、（Ｆ′）上記伏せ止め８の終端（前記図３の符号２１が示す箇所）を起点として、裾側とは反対側に配置されている編機の２０目部分の針を残して、他の針を全目出して休ませた状態にする。ここで、針を休めるとは、図５に示すように、一部の針を引き出す状態にすることを言う。
そして、編み機の一部の針が休んでいる状態で、図４に示すように（Ｇ′）上記伏せ止め８の終端（図３及び図４で符号２１が示す箇所）から二十目を地糸３で二十段編んで襠（まち）３０を作り、その襠３０の両端二目の下段に位置する上記（Ｄ′）の配色糸の目６ｃ〜６ｆ（図４参照）を移し針を用いて引き上げることで第二の輪と第三の輪とを突出形成する。
【００１４】
次に、図６に示すように、（Ｈ′）上記襠３０の裾側角部２２（図４及び図６参照）から裾側へ向けて巻き目１を地糸３で十目作り、その巻き目１と上記襠３０の上段に配色糸で三十目二段の裏目で引き返し編み４を行う。その引き返し編み４を行う際、上記第二及び第三の輪と配色糸とをそれぞれ絡ませて第二のタック９と第三のタック１０とを形成する。
ここで、図４及び図６に示すように、図４に示す目６ｃ，６ｄに位置する配色糸がそれらの位置する段から上に２１段離れた箇所にある配色糸と一緒に編まれることで、第二のタック９はニットの編地をつまんで縫ったようなひだとして形成される。第三のタック１０も、第二のタック９と同様に、ニットの編地をつまんで縫ったようなひだとして形成される。
【００１５】
次に、（Ｉ′）休めておいた針を元に戻し、図７に示すように、上記（Ｈ′）の配色糸の上段に地糸で１０段裏編みを行い、その際、裾側を２段上がるごとに一目増やす引き返し編み４を４回行う。
さらに、（Ｊ′）図７に示すように上記（Ｉ′）の上段に地糸で１０段裏編みを行い、その際裾側を２段上がるごとに１目減らす引き返し編み４を行い、次いで、その減らし目箇所の上段に段消し編み５を一段行う。
そして、（Ｋ′）移し針を用いて上記襠３０の上段に編まれた配色糸を２目６ｇ，６ｈ引き上げて第四の輪を突出形成させ、（Ｌ′）図８に示すように上記（Ｊ′）の段消し編み５の箇所及び地糸の上段に配色糸２で２段裏編みを行い、その際上記第四の輪と配色糸とを絡ませて第四のタック１１を作り、且つ、その際段消し編み箇所の上段は移し針を使ってゆるめに配色糸で一段編む。
【００１６】
ここで、図７及び図８に示すように、図７に示す目６ｇ，６ｈの配色糸がそれらの位置する段から上に２１段離れた箇所にある配色糸と一緒に編まれることで、第四のタック１１はニットの編地をつまんで縫ったようなひだとして形成される。
次に、（Ｍ′）図８に示すように、上記（Ｊ′）の段消し編み４の上段の配色糸でゆるめに編まれた１０目を裾側から地糸で伏せ止め８する。この時点で地糸と配色糸が揃うようにする。なお、図８中の符号２３が示す箇所が地糸と配色糸とが同位置にある部分であり、ここが次の編み始め箇所と成る。
後は、上記（Ｆ′）〜（Ｍ′）の手順を繰り返す。
図８中の（Ｌ′）に示す２段は、上記（Ａ′）の配色糸で２段編むことと同じである。
【００１７】
かくして、編み図全体は図９に示したようになり、図１０に示したようなニット製品におけるスカラップ１５が形成される。なお、図１０中、１６は地糸、１７は配色糸である。
【００１８】
このように、上記（Ａ′）〜（Ｍ′）の手順を行ってニット製品にスカラップを形成することができる。
上記（Ａ′）〜（Ｍ′）の手順によれば、段を増していくにつれてニット製品の裾端部が半円状に形成されることで、それがスカラップを呈するようになる。
【００１９】
また、段を増して行く途中でタックと襠３０とが編まれることで、裾側に形成されたスカラップの形状に立体感を持たせることができる。
さらに、タックが形成されて襠３０の輪郭を境に襠３０が外方或いは内方へ湾曲形成されることでも、裾側に立体感ある装飾をニット製品に持たせることができる。
上記ニット製品におけるスカラップは、図１０から明らかなように、美観、装飾性に優れ、ニット製品に大きな付加価値をつけるものである。勿論、上記編み方を用いれば、織機によるスカラップ付きニット製品の大量生産が可能である。
【００２０】
なお、上記編み方において、上記（Ａ′）〜（Ｍ′）の手順において、手順（Ａ）〜（Ｍ）を行った後、手順（Ｆ）〜（Ｍ）の繰り返し数を変えることによりスカラップ数を変えることができる。また、段数及び目数を変えることにより、種種の大きさのスカラップを形成することができる。
【００２１】
また、図１０からもわかるように、第一のタック７と第四のタック１１とが、第二のタック９と第三のタック１９との中間に位置する目上に配置されて編まれることで、例えば菱形状の装飾をニット製品に持たせることができて、装飾効果が高まる。
さらに、上記配色糸の色は、多種多様のものを用いることができるが、その色としては地糸と同色であってもよい。
さらに、上記説明した以外に、本発明は、発明の趣旨を逸脱しない範囲において、多種多様な形態で実施できる。
【００２２】
【発明の効果】
以上のように、本発明によれば、美観、装飾性に優れたスカラップをニット製品に形成することができ、ニット製品に大きな付加価値をつけるものである。
【図面の簡単な説明】
【図１】種種の編み目を示す図である
【図２】本発明によるスカラップの編み方を示す図である。
【図３】本発明によるスカラップの編み方を示す図である。
【図４】本発明によるスカラップの編み方を示す図である。
【図５】編み機の一部を示す図である。
【図６】本発明によるスカラップの編み方を示す図である。
【図７】本発明によるスカラップの編み方を示す図である。
【図８】本発明によるスカラップの編み方を示す図である。
【図９】本発明によるスカラップの編み方の編み図全体を示す図である。
【図１０】本発明による編み方により作製された実際のスカラップを示す図である。
【符号の説明】
１      巻目
２      配色糸を用いた裏目
３      地糸を用いた裏目
４      引返し
５      段消し
６ａ〜６ｈ      移し針を用いて環状に突出形成された目
７，９〜１１    タック
１５    スカラップ
１６    グランド色地糸
１７    配色糸
【図１】
0003560058.tif 000002
【図２】
0003560058.tif 000003
【図３】
0003560058.tif 000004
【図４】
0003560058.tif 000005
【図５】
0003560058.tif 000006
【図６】
0003560058.tif 000007
【図７】
0003560058.tif 000008
【図８】
0003560058.tif 000009
【図９】
0003560058.tif 000010
【図１０】
0003560058.tif 000011